(57)【要約】【課題】ファン接触防止用格子を利用して吸い込み気流を整流し、騒音の低減と風量の増加を図ることのできる空気清浄機を提供すること。【解決手段】本体１内に設けられる送風手段７の風上側に略２０ｍｍ〜３０ｍｍの距離を設けた空間部８を形成して配設されるファン接触防止用の格子９を設け、格子９の風上側に集塵ユニット１０を設け、格子９と空間部８により吸込み気流を整流せしめる構成としたことにより、騒音の低減と風量の増加を図ることのできる空気清浄機を提供することとなる。【選択図】  図１
2005003256.tif 000002
【特許請求の範囲】
【請求項１】
吸込口と吹出口を形成し、内部にモーターにより駆動される遠心力形ファンよりなる送風手段を設けた本体と、この本体に設けられる送風手段の風上側に空間部を形成して配設されるファン接触防止用の格子と、この格子の風上側に設けられる集塵ユニットとを備え、前記格子と空間部により吸込み気流を整流せしめる構成とした空気清浄機。
【請求項２】
吸込口と吹出口を形成し、内部に遠心力形ファンと前記吹出口に向かい気流を案内するファンケーシングよりなる送風手段を設けた本体と、この本体に設けられる送風手段の風上側に配設される集塵ユニットと、前記ファンケーシングの側板に、前記遠心力形ファンの外周より略一定の距離を隔てた斜め位置に入口端部を設け、前記入口端部に前記吹出口に向かう傾斜面を有し膨出される風向変更膨出部とを備え、前記風向変更膨出部により遠心力形ファンの接線方向に流れようとする空気流を略水平方向に変換する構成とした空気清浄機。
【請求項３】
集塵ユニットに設けられる脱臭フィルターと、この脱臭フィルターが当接するファン接触防止用の格子とを備え、前記格子の格子ピッチを略均一に構成した請求項１記載の空気清浄機。
【請求項４】
吹出口を本体の両側面に設け、送風手段により送風される吹出方向を２方向に設け、吹出口に向かう傾斜面を入口端部に有した風向変更膨出部を各吹出口に対向して設けた請求項２記載の空気清浄機。
【請求項５】
本体に設けられる遠心力形ファンを駆動するモーターを保持する複数のモーター保持リブを吸気気流に沿う円弧形状に形成した請求項１記載の空気清浄機。
【発明の詳細な説明】
【０００１】
【発明の属する技術分野】
本発明は、ファンの吸込側と吐出側に格子を備えた空気清浄機に関するものである。
【０００２】
【従来の技術】
従来、この種の空気清浄機として、ファンに手指や異物が接触しないようにファンの吸込側と吐出側に格子を設けたものが知られている（例えば、特許文献１参照）。以下、その空気清浄機について図を参照しながら説明する。
【０００３】
図８に示すように、前面に吸込口１０１を有し、上面に格子状の吹出口１０２を設けた本体ケース１０３内にモータ１０４により駆動される遠心力形ファン１０５を内蔵している。遠心力形ファン１０５のベルマウス状の中板吸込口１０６にファン接触防止用の格子１０７を設け、格子１０７の風上側に消臭フィルター１０８と集塵フィルター１０９よりなるフィルターブロック１１０を設け構成していた。
【０００４】
【特許文献１】
特公昭６３−４５６０７号公報（第２頁、第４図）
【０００５】
【発明が解決しようとする課題】
このような従来の空気清浄機の構成では、遠心力形ファン１０５の吸込口を形成する中板吸込口１０６に近接してファン接触防止用の格子１０７を設け、格子１０７の上流側にフィルターボックス１１０が配設されているが、格子１０７は手指が遠心力形ファン１０５に接触するのを防止するためのものであって、格子１０７を高速の吸い込み気流が渦巻き状に通過することにより、気流の乱れによる騒音が生じ風量も低減するという課題があった。
【０００６】
また、格子状の吹出口１０２は吹出気流を前方に導くために前傾して設けているため、風切り音が発生するという課題があった。
【０００７】
本発明は、上記課題を解決するもので、遠心力形ファンの吸込口および吐出口の直前で気流を整流し騒音の低減と風量の増加を図ることのできる空気清浄機を提供することを目的とする。
【０００８】
【課題を解決するための手段】
上記従来の課題を解決するために、本発明の空気清浄機は、吸込口と吹出口を形成し、内部にモータにより駆動される遠心力形ファンよりなる送風手段を設けた本体と、この本体に設けられる送風手段の風上側に空間部を形成して配設されるファン接触防止用の格子と、この格子の風上側に設けられる集塵ユニットとを備え、前記格子と空間部により吸い込み気流を整流せしめる構成としたものである。
【０００９】
また、吸込口と吹出口を形成し、内部に遠心力形ファンと前記吹出口に向かい気流を案内するファンケーシングよりなる送風手段を設けた本体と、この本体に設けられる送風手段の風上側に配設される集塵ユニットと、前記ファンケ−シングの側板に、前記遠心力形ファンの外周より略一定の距離を隔てた斜め位置に入口端部を設け、前記入口端部に前記吹出口に向かう傾斜面を有し、膨出される風向変更膨出部とを備え、前記風向変更膨出部の傾斜面により遠心力形ファンの接線方向に流れようとする空気流を略水平方向に変換する構成としたものである。
【００１０】
また、集塵ユニットに設けられる脱臭フィルターと、この脱臭フィルターが当接するファン接触防止用の格子とを備え、前記格子の格子ピッチを略均一に構成したものである。
【００１１】
また、吹出口を本体の両側面に設け、送風手段により送風される吹出方向を２方向に設け、吹出口に向かう傾斜面を入口端部に有した風向変更膨出部を各吹出口に対向して設けたものである。
【００１２】
また、本体に設けられる遠心力形ファンを駆動するモーターを保持する複数のモーター保持リブを吸気気流に沿う円弧形状に形成したものである。
【００１３】
【発明の実施の形態】
請求項１に記載の発明は、本体の内部にモーターにより駆動される遠心力形ファンによりなる送風手段を設け、送風手段の風上側に空間部を形成して配設されるファン接触防止用の格子と、この格子の風上側に設けられる集塵ユニットとを備え、前記格子と空間部により吸い込み気流を整流したものであり、集塵ユニット通過直後の風速の遅い吸い込み気流を格子で整流し、送風手段の吸込直前では空間部を通して吸引することとなり、気流の乱れが少なくなり低騒音化が図られ、風量を増大することができる。
【００１４】
請求項２に記載の発明は、本体の内部にモーターにより駆動される遠心力ファンよりなる送風手段を設け、送風手段の風上側に配設される集塵ユニットと、前記送風手段に設けられるファンケーシングの側板に、前記遠心力形ファンの外周より略一定の距離を隔てた斜め位置に入口端部を設け、前記入口端部に前記吹出口に向かう傾斜面を有し、膨出される風向変更膨出部とを備え、前記風向変更膨出部により遠心力形ファンの接線方向に流れようとする空気流を略水平方向に変換する構成としたものであり、風向変更膨出部で吹出気流を吹出口に設けられる格子状のグリルに沿わせることができ、吹出口での気流の乱れが防止され、騒音の低減を図ることができる。
【００１５】
請求項３に記載の発明は、集塵ユニットに設けられる脱臭フィルターと、この脱臭フィルターが当接するファン接触防止用の格子とを備え、前記格子の格子ピッチを略均一に構成したものであり、脱臭フィルターが格子により受け止められて脱臭フィルターのたわみによる変形が防止されることとなり、脱臭フィルターの脱臭能力を維持するとともに、脱臭フィルターの変形劣化を防止することができる。
【００１６】
また、請求項４に記載の発明は、吹出口を本体の両側面に設け、送風手段により送風される吹出方向を２方向に設け、吹出口に向かう傾斜面を入口端部に有した風向変更膨出部を各吹出口に対向して設けたものであり、騒音の低減を図り、清浄空気を分散して室内に拡散することができる。
【００１７】
また、請求項５に記載の発明は、本体に設けられる遠心力形ファンを駆動するモーターを保持する複数のモーター保持リブを吸気気流に沿う円弧形状に形成したものであり、モーター保持リブが吸い込み気流に沿うこととなり、気流に対する抵抗が少なくなって気流の乱れや渦の発生を抑え、さらなる騒音の低減を図ることができる。
【００１８】
以下、本発明の実施例について図面を参照しながら説明する。
【００１９】
【実施例】
（実施例１）
図１〜図６に示すように、本体１に吸込口２と両側面に吹出口３を形成し、内部にモーター４により駆動される遠心力形ファン５と両側面に設けられる吹出口３に向かい気流を案内する２方向に向いたファンケーシング６よりなる送風手段７を設けている。送風手段７の風上側に略２０ｍｍ〜３０ｍｍの距離を設けた空間部８を形成した位置に格子ピッチが均一に形成されたファン接触防止用の格子９を設け、格子９の風上側に格子９に当接して集塵ユニット１０を設置する。すなわち集塵ユニット１０の後端面に設けた脱臭フィルター１１が格子９に当接するように設置している。なお、遠心力形ファン５を駆動するモーター４を本体１に保持する複数の保持リブ１２を放射状方向に設けている。
【００２０】
また、ファンケーシング６の側板には、遠心力形ファン５の外周より略一定の距離を隔てた斜め位置に入口端部１３を設け、入口端部１３には、吹出口３に向かう傾斜面１４を有し膨出される風向変更膨出部１５を形成し、風向変更膨出部１５により遠心力形ファン５の接線方向に流れようとする空気流を略水平方向に変換するように設け、吹出口３には略水平方向に吹き出す格子からなるグリル１６を設け、本体１の前面開口は吸込口２以外はフロントパネル１７で覆うように構成している。
【００２１】
上記構成において、空気清浄機が運転されると、送風手段７の遠心力形ファン５がモーター４により駆動され、吸込口２よりほこりやガス等により汚染された空気が吸い込まれ、集塵ユニット１０を通って集塵および脱臭が行われる。このとき、送風手段７の遠心力形ファン５と格子９との間に設けた空間部８により集塵ユニット１０の全面から平均的に吸気されて集塵および脱臭が行なわれるとともに、集塵ユニット１０を通過した直後の風速は遠心力形ファン５の吸気側直前の風速に比べて遅く、この遅い吸い込み気流が格子９で整流され、さらに障害物のない空間部８を通過することとなり、気流の乱れが少なくなる。
【００２２】
また、２方向に吹き出されるように設けられたファンケーシング６の側板に吹出口３を形成して、清浄化された気流を分散して室内に広く拡散している。そして吹出口３と遠心力形ファン５の間に設けた風向変更膨出部１５により、遠心力形ファン５の接線方向に流れようとする空気流が、風向変更膨出部１５の入口端部１３に形成されている傾斜面１４により吹出口３の方向に案内されることにより、吹出口３に向かう略水平方向の気流に変換され、吹出口３に設けた格子状のグリル１６に沿うように吹き出されることとなる。
【００２３】
このように本発明の実施例１の空気清浄機によれば、吸込口２と吹出口３を形成し、内部にモーター４により駆動される遠心力形ファン５よりなる送風手段７を設けた本体１と、本体１に設けられる送風手段７の風上側に略２０ｍｍ〜３０ｍｍの距離を設けた空間部８を形成して配設されるファン接触防止用の格子９と、この格子９の風上側に設けられる集塵ユニット１０とを備え、格子９と空間部８により吸い込み気流を整流せしめる構成としたので、遠心力形ファン５とファン接触防止用の格子９との距離が近い場合における風速の速い吸い込み気流が格子９に当たり気流が乱れ騒音が大きく風量が少なくなる現象を防止できる。すなわち集塵ユニット１０通過直後の風速の遅い吸い込み気流を格子９で整流して空間部８を通過させることにより、吸引気流の乱れが少なくなり、騒音の低減および風量の増大が図れる。
【００２４】
また、吸込口２と吹出口３を形成し、内部に遠心力形ファン５と吹出口３に向かい気流を案内するファンケーシング６よりなる送風手段７を設けた本体１と、本体１に設けられる送風手段７の風上側に配設される集塵ユニット１０と、ファンケーシング６の側板に、遠心力形ファン５の外周より略一定の距離を隔てた斜め位置に入口端部１３を設け、入口端部１３に吹出口３に向かう傾斜面１４を有し膨出される風向変更膨出部１５とを備え、風向変更膨出部１５により遠心力形ファン５の接線方向に流れようとする空気流を略水平方向に変換する構成としたので、遠心力形ファン５の接線方向に流れる気流がそのまま吹出口３に向かった場合には吹出口３に設けたグリル１６の格子状部分を交差する方向に流れ、グリル１６の格子状部分に当たり気流が乱れ空気抵抗が増大し、騒音の発生する原因となっていたのが、風向変更膨出部１５により吹き出し気流が略水平方向に変換されることとなり、吹出気流がグリル１６の格子形状に沿うこととなって気流の乱れが防止され、騒音の低減および風量の増大が図れる。
【００２５】
また、集塵ユニット１０に設けられる脱臭フィルター１１と、脱臭フィルター１１が当接するファン接触防止用の格子９とを備え、格子９の格子ピッチを略均一に構成したので、脱臭フィルター１１が格子９で受け止められていない場合には、活性炭などの脱臭剤を袋に入れて形成した脱臭フィルター１１がたわみ変形して脱臭フィルター１１にエアリークを生じやすくなり、脱臭性能が低下するとともに耐久性も悪くなるが、脱臭フィルター１１を格子９で受け止めることにより脱臭フィルター１１の変形が防止され、脱臭機能を維持できるとともに、脱臭フィルター１１の耐久性を向上させ、格子９の整流効果も保持することができる。
【００２６】
また、吹出口３を本体１の両側面に設け、送風手段７により送風される吹出方向を２方向に設け、吹出口３に向かう傾斜面１４を入口端部に有した風向変更膨出部１５を各吹出口３に対向して設けたことにより、騒音の低減を図り、清浄空気を分散して室内に広く拡散することができる。
【００２７】
（実施例２）
図７に示すように、本体１Ａに設けられる遠心力形ファン５を駆動するモーター４を保持する複数のモーター保持リブ１２Ａを吸気気流に沿う円弧形状に形成し構成する。
【００２８】
上記構成において、モーター４により遠心力形ファン５が駆動することにより遠心力形ファン５に吸込まれる吸い込み気流は、複数のモーター保持リブ１２Ａに沿って空気抵抗の少ない状態で螺旋状に流れることとなる。
【００２９】
このように本発明の実施例２の空気清浄機によれば、本体１Ａに設けられる遠心力形ファン５を駆動するモーター４を保持する複数のモーター保持リブ１２Ａを吸込気流に沿う円弧形状に形成したので、モーター保持リブ１２Ａへの吸込気流の空気抵抗が小さくなり、単にモーター保持リブを直線放射状に形成した場合に比べて気流の乱れや渦の発生が抑制され、騒音の減少を図ることができる。
【００３０】
【発明の効果】
以上の実施例から明らかなように、本発明によれば吸込口と吹出口を形成し、内部にモーターにより駆動される遠心力形ファンよりなる送風手段を設けた本体と、この本体に設けられる送風手段の風上側に空間部を形成して配設されるファン接触防止用の格子と、この格子の風上側に設けられる集塵ユニットとを備え、前記格子と空間部により吸い込み気流を整流する構成としたので、騒音の低減および風量の増大を図ることのできる空気清浄機を提供できる。
【００３１】
また、吸込口と吹出口を形成し、内部に遠心力形ファンと前記吹出口に向かい気流を案内するファンケーシングよりなる送風手段を設けた本体と、この本体に設けられる送風手段の風上側に配設される集塵ユニットと、前記ファンケーシングの側板に前記遠心力形ファンの外周より略一定の距離を隔てた斜め位置に入口端部を設け、前記入口端部に前記吹出口に向かう傾斜面を有し膨出される風向変更膨出部とを備え、前記風向変更膨出部により遠心力形ファンの接線方向に流れようとする空気流を略水平方向に変換する構成としたので、吹出口での気流の乱れを防止し、騒音の低減を図ることができる。
【００３２】
また、集塵ユニットに設けられる脱臭フィルターと、この脱臭フィルターが当接するファン接触防止用の格子とを備え、前記格子の格子ピッチを略均一に構成したので、脱臭フィルターのたわみによる変形が防止され、脱臭フィルターの脱臭機能を維持するとともに耐久性を向上し、格子の整流効果を保つことができる。
【００３３】
また、吹出口を本体の両側面に設け、送風手段により送風される吹出方向を２方向に設け、吹出口に向かう傾斜面を入口端部に有した風向変更膨出部を各吹出口に対向して設けたので、吹出口の騒音をより小さく抑えつつ清浄空気を室内に広く拡散することができる。
【００３４】
また、本体に設けられる遠心力形ファンを駆動するモーターを保持する複数のモーター保持リブを吸気気流に沿う円弧形状に形成したので、モーター保持リブによる吸い込み気流の乱れが防止され、騒音の低減を図ることができる。
【図面の簡単な説明】
【図１】本発明の実施例１の空気清浄機の断面図
【図２】同空気清浄機の送風手段の構成を示す背面図
【図３】同空気清浄機のモーター保持リブの構成を示す正面図
【図４】同空気清浄機の格子を取り付けた状態の正面図
【図５】同空気清浄機の外観斜視図
【図６】同空気清浄機の分解斜視図
【図７】本発明の実施例２の空気清浄機のモーター保持リブの構成を示す正面図
【図８】従来の空気清浄機の構成を示す断面図
【符号の説明】
１  本体
１Ａ  本体
２  吸込口
３  吹出口
４  モーター
５  遠心力形ファン
６  ファンケーシング
７  送風手段
８  空間部
９  格子
１０  集塵ユニット
１１  脱臭フィルター
１２Ａ  モーター保持リブ
１３  入口端部
１４  傾斜面
１５  風向変更膨出部
【図１】
2005003256.tif 000003
【図２】
2005003256.tif 000004
【図３】
2005003256.tif 000005
【図４】
2005003256.tif 000006
【図５】
2005003256.tif 000007
【図６】
2005003256.tif 000008
【図７】
2005003256.tif 000009
【図８】
2005003256.tif 000010